(57)【要約】【課題】測定結果を印刷した後の管理を容易に行うことのできる印刷システムを提供する。【解決手段】身体情報を測定する測定装置１と、測定装置１が測定した身体情報を印刷するテープ印刷装置２とを備えた印刷システムであって、測定装置１は、身体情報を測定する測定部１１と、身体情報をテープ印刷装置２に印刷させるための印刷コマンドを生成する印刷コマンド生成部１２と、印刷コマンドを印刷装置に対し出力する測定側通信部１４と、を備え、テープ印刷装置２は、印刷コマンドを受信する印刷側通信部２０と、受信した印刷コマンドに基づいて印刷データを生成する印刷データ生成部２２と、生成した印刷データを印刷する印刷部２３と、を備える。【選択図】図１
2017083930.tif 000002
【特許請求の範囲】
【請求項１】
身体情報を測定する測定装置と、前記測定装置が測定した身体情報を印刷するテープ印刷装置とを備えた印刷システムであって、
前記測定装置は、身体情報を測定する測定部と、前記身体情報を前記テープ印刷装置に印刷させるための印刷コマンドを生成する印刷コマンド生成部と、前記印刷コマンドを前記テープ印刷装置に対し出力する出力部と、を備え、
前記テープ印刷装置は、前記印刷コマンドを受信する受信部と、前記受信した印刷コマンドに基づいて印刷データを生成する印刷データ生成部と、前記生成した印刷データを印刷する印刷部と、を備えることを特徴とする印刷システム。
【請求項２】
前記印刷コマンドは、前記測定装置が測定した測定結果に対応したパラメーターを有し、
前記印刷データ生成部は、前記測定結果に対応したパラメーターに基づいて、前記パラメーターに対応した前記測定結果を表すグラフを含む印刷データを生成し、
前記印刷部は、前記グラフを印刷することを特徴とする請求項１に記載の印刷システム。
【請求項３】
前記印刷コマンドは、前記測定装置が測定した測定日時に対応したパラメーターを更に有し、
前記印刷データ生成部は、前記測定日時に対応したパラメーターに基づいて、前記測定日時を含む印刷データを生成し、
前記印刷部は、前記測定日時を前記グラフと共に印刷することを特徴とする請求項２に記載の印刷システム。
【請求項４】
前記印刷コマンドは、複数の前記測定結果に応じたパラメーターを有し、前記グラフは、複数の前記測定結果に対応するグラフであることを特徴とする請求項２または請求項３に記載の印刷システム。
【請求項５】
前記複数の測定結果に対応するグラフは、積み上げ棒グラフであることを特徴とする請求項４に記載の印刷システム。
【請求項６】
身体情報を測定する測定装置から印刷するための印刷コマンドを受信する受信部と、前記受信した印刷コマンドに基づいて印刷データを生成する印刷データ生成部と、前記生成した印刷データを印刷する印刷部と、を備えることを特徴とするテープ印刷装置。
【請求項７】
請求項６に記載のテープ印刷装置により印刷されたことを特徴とする記録媒体。
【発明の詳細な説明】
【技術分野】
【０００１】
本発明は、測定装置による測定結果を印刷する印刷システム、印刷装置並びに記録媒体に関する。
【背景技術】
【０００２】
従来から、ヘルスケア製品と呼ばれる血圧計、体重計、活動量計などの測定装置で測定した、血圧や体重、活動量などを、毎日記録・保存し、健康維持に役立てることが推奨されている。
現在販売されているヘルスケア製品は、スマートフォンやパソコン、クラウドなどを活用することにより、測定結果の記録・保存・分析をし、ユーザーにアドバイスを提供したり、医療機関にデータを提供することなどが行われている。
そして、測定結果の印刷が必要な場合、ヘルスケア製品に専用プリンターを内蔵した技術がある（例えば、特許文献１参照）。また、スマートフォンやパソコンのアプリケーションを経由して汎用プリンターに印刷したり、専用の処理装置により高度かつ情報量の多い印刷結果を得る技術も知られている（例えば、特許文献２参照）。
【先行技術文献】
【特許文献】
【０００３】
【特許文献１】特開昭６２−２４９０２２号公報
【特許文献２】特開２０１１−９２５５６号公報
【発明の概要】
【発明が解決しようとする課題】
【０００４】
しかしながら、スマートフォンやパソコン、クラウドなどを利用して健康管理をするのは、高齢者などのＩＴ製品に不慣れなユーザーにとって敷居が高い。かといって測定するたびに測定値を手書きで転記するのは面倒である。
また、プリンターに測定結果を印刷する場合でも、測定毎に印刷物を管理するのは手間であるし、毎回Ａ４サイズの用紙に印刷するのは紙の無駄であり、管理しにくいという問題がある。
本発明は、前述した事情に鑑みてなされたものであり、測定結果を印刷した後の管理を容易に行うことのできる印刷システム、印刷装置並びに記録媒体を提供することを目的とする。
【課題を解決するための手段】
【０００５】
前記目的を達成するために、本発明の印刷システムは、身体情報を測定する測定装置と、前記測定装置が測定した身体情報を印刷するテープ印刷装置とを備えた印刷システムであって、前記測定装置は、身体情報を測定する測定部と、前記身体情報を前記テープ印刷装置に印刷させるための印刷コマンドを生成する印刷コマンド生成部と、前記印刷コマンドを前記テープ印刷装置に対し出力する出力部と、を備え、前記テープ印刷装置は、前記印刷コマンドを受信する受信部と、前記受信した印刷コマンドに基づいて印刷データを生成する印刷データ生成部と、前記生成した印刷データを印刷する印刷部と、を備えることを特徴とする。
この構成によれば、測定装置から送られる印刷コマンドに基づいてテープ印刷装置がテープ状の記録媒体に印刷することで、大きな用紙に印刷する場合に比較して用紙の無駄がなく、記録媒体の管理も容易である。
また、テープ印刷装置は、測定装置による測定結果の印刷以外に使用することも多いが、持ち運びが容易なので必要な場所で印刷でき、使い勝手が良い。さらに、テープ印刷装置により印刷された記録媒体は、剥離紙をはがせば接着が可能であるため、例えば、病院に提出する用紙などの所定の用紙に容易に貼り付けることができる。
【０００６】
また、前記発明の印刷システムにおいて、前記印刷コマンドは、前記測定装置が測定した測定結果に対応したパラメーターを有し、前記印刷データ生成部は、前記測定結果に対応したパラメーターに基づいて、前記パラメーターに対応した前記測定結果を表すグラフを含む印刷データを生成し、前記印刷部は、前記グラフを印刷する。
この構成によれば、印刷後の記録媒体には、測定結果をあらわすグラフが印刷されているので、所定の用紙に張り付けることにより、測定結果の変化を確認しやすい。
【０００７】
また、前記発明の印刷システムにおいて、前記印刷コマンドは、前記測定装置が測定した測定日時に対応したパラメーターを更に有し、前記印刷データ生成部は、前記測定日時に対応したパラメーターに基づいて、前記測定日時を含む印刷データを生成し、前記印刷部は、前記測定日時を前記グラフと共に印刷することを特徴とする。
この構成によれば、印刷後の記録媒体には、測定結果とともに測定日時が印刷されているので、後日、まとめて所定の用紙に貼り付けることができ、異なる測定日時の測定結果の管理を容易に行うことができる。
【０００８】
また、前記発明の印刷システムにおいて、前記印刷コマンドは、複数の前記測定結果に応じたパラメーターを有し、前記グラフは、複数の前記測定結果に対応するグラフであることを特徴とする。
この構成によれば、印刷後の記録媒体には、複数の測定結果をあらわすグラフが印刷されているので、所定の用紙に張り付けることにより、複数の測定結果の変化を確認しやすい。
【０００９】
また、前記発明の印刷システムにおいて、前記複数の測定結果に対応するグラフは、積み上げ棒グラフであることを特徴とする。
この構成によれば、印刷後の記録媒体には、複数の測定結果をあらわす積み上げ棒グラフが印刷されているので、所定の用紙に張り付けることにより、複数の測定結果の変化を確認しやすい。
【００１０】
また、本発明の印刷装置は、身体情報を測定する測定装置から印刷するための印刷コマンドを受信する受信部と、前記受信した印刷コマンドに基づいて印刷データを生成する印刷データ生成部と、前記生成した印刷データを印刷する印刷部と、を備えることを特徴とする。
この構成によれば、測定装置から送られる印刷コマンドに基づいてテープ印刷装置がテープ状の記録媒体に印刷することで、大きな用紙に印刷する場合に比較して用紙の無駄がなく、記録媒体の管理も容易である。また、持ち運びが容易なので必要な場所で印刷でき、使い勝手が良い。さらに、テープ印刷装置により印刷された記録媒体は、剥離紙をはがせば接着が可能であるため、例えば、病院に提出する用紙などの所定の用紙に容易に貼り付けることができる。
【００１１】
また、本発明の記録媒体は、請求項６に記載のテープ印刷装置により印刷されたことを特徴とする。
この構成によれば、測定装置から送られる印刷コマンドに基づいてテープ印刷装置が印刷したテープ状の記録媒体は、大きな用紙に印刷する場合に比較して用紙の無駄がなく、管理も容易である。また、テープ印刷装置により印刷された記録媒体は、剥離紙をはがせば接着が可能であるため、例えば、病院に提出する用紙などの所定の用紙に容易に貼り付けることができる。
【図面の簡単な説明】
【００１２】
【図１】本発明の実施形態に係る印刷システムの機能構成を示すブロック図。
【図２】本実施形態の動作を示すフローチャートである。
【図３】血圧計の測定結果を印刷した例を示す図である。
【図４】血圧計の測定結果を印刷した他の例を示す図である。
【図５】血圧計の測定結果を所定用紙に貼り付けた状態の例を示す図である。
【発明を実施するための形態】
【００１３】
以下、図面を参照して本発明の実施形態について説明する。
図１は、本実施形態に係る印刷システムの機能的構成を示すブロック図である。
図１に示すように、印刷システムは、測定装置１と、テープ印刷装置２とを備えている。
測定装置１は、身体情報や活動量などを測定するための装置であり、例えば、血圧計、体重計、体温計、脈拍計、歩数計、活動量計などのユーザーのヘルスケアに利用するヘルスケア製品である。
テープ印刷装置２は、文字データや画像データなどの印刷データに基づいて印刷することができる汎用のテープ印刷装置２であり、例えば、ラベルライターなどのテープ印刷装置２である。
【００１４】
図２に示すように、測定装置１は、測定装置１の各部を制御する測定側制御部１０を備える。測定側制御部１０は、測定装置１の各部を中枢的に制御するものであり、演算実行部としてのＣＰＵ、このＣＰＵによって実行可能な基本制御プログラムや所定のデータ等を不揮発的に記憶するＲＯＭ、ＲＡＭ、その他の周辺回路等を備える。
測定装置１は、所定の身体情報を取得する測定部１１を備える。
また、測定側制御部１０には、印刷コマンド生成部１２が接続される。印刷コマンド生成部１２は、印刷に必要な印刷コマンドを生成する。
測定側制御部１０には、操作部１３が接続され、ユーザーが操作部１３を操作することにより、操作部１３から測定側制御部１０に操作信号が入力される。測定側制御部１０は、操作部１３から入力される操作信号に基づいて、測定部１１に測定動作を指示したり、印刷コマンド生成部１２に印刷コマンドの生成を指示する。
測定装置１は、出力部としての測定側通信部１４を備える。
なお、測定部１１は測定装置１と別筐体で構成されて、有線または無線などの通信手段で接続されていてもかまわない。
【００１５】
印刷コマンド生成部１２により生成される印刷コマンドは、所定のパラメーターに基づいて生成される。このパラメーターは、接続されるテープ印刷装置２の性能にかかわらず、最低限のパラメーターが設定される。パラメーターの具体的な例としては、例えば、「ＩＤ情報」、「測定日時」、「測定結果（複数の測定結果を含む）」である。
ここで、「ＩＤ情報」は、測定装置１またはユーザーごとにあらかじめ設定されるＩＤ情報であり、「測定日時」および「測定結果」は、測定装置１により測定した日時および測定結果である。
【００１６】
印刷コマンド生成部１２は、これら各パラメーターに基づいて印刷コマンドを生成する。印刷コマンドは、テープ印刷装置２の種類にかかわらず同じ印刷コマンドである。この印刷コマンドは、例えば、以下のように生成される。
「ESC/HC＿P＿ID:ABC1234＿date：20150731201235＿value:75.00/115.50」
ここで、「ESC/HC」は測定装置１からの印刷コマンドであることを示している。「P」は、印刷実行指示を示している。「ID:ABC1234」は、測定装置１のＩＤが「ABC1234」であることを示している。「date:20150731201235」は、測定日時を示しており、数字の先頭の４桁は年を表し、以降２桁毎に、月、日、時、分、秒を表す。すなわちこの例では、２０１５年７月３１日２０時１２分３５秒に測定されたことを表している。
なお、測定日時により期間を表す必要がある場合、例えば、ユーザーが活動量計を身につけて一定時間ジョギングをした場合は、「date:20150730080500/20150730083500」のように表すことができる。これは、２０１５年７月３０日８時５分〜８時３５分の測定結果であることを示している。
【００１７】
「value:75.00/115.50」は、測定結果を表す。この例では、２つの測定結果が存在し、それぞれ７５．００と１１５．５０であることを示している。このように測定結果を「/」で区切ることにより複数の測定結果が存在することを示すことができる。
また、各パラメーター間は、スペースコード（０ｘ２０）で区切られている。コマンドの最後は、ＣＲコード（０ｘ０ｄ）により認識される。
なお、この印刷コマンドは、あくまで一例であり、これに限定されない。例えば、パラメーターの順番を入れ替えたり、さらに多くのパラメーターを含む印刷コマンドを生成するようにしてもよい。
【００１８】
また、テープ印刷装置２は、測定側通信部１４から送信される印刷コマンドを受信する受信部としての印刷側通信部２０を備える。測定側通信部１４と印刷側通信部２０との通信は、例えば、ＵＳＢなどの有線通信、無線ＬＡＮやＢｕｌｅｔｏｏｔｈなどの無線通信などの既知の通信手段を用いることができる。
テープ印刷装置２は、テープ印刷装置２の各部を制御する印刷側制御部２１を備える。印刷側制御部２１は、テープ印刷装置２の各部を中枢的に制御するものであり、演算実行部としてのＣＰＵ、このＣＰＵによって実行可能な基本制御プログラムや所定のデータ等を不揮発的に記憶するＲＯＭ、ＲＡＭ、その他の周辺回路等を備える。
印刷側制御部２１には、測定装置１から送られる印刷コマンドに基づいて印刷データを生成する印刷データ生成部２２が接続される。
また、印刷側制御部２１には、印刷データ生成部２２により生成された印刷データに基づいて印刷を行う印刷部２３が接続される。
印刷側制御部２１には、後述する印刷条件やパラメーターなどを記憶する記憶部２４が接続される。
さらに、印刷側制御部２１には、操作部２５が接続され、ユーザーが操作部２５を操作することにより、操作部２５から印刷側制御部２１に操作信号が入力される。印刷側制御部２１は、操作部２５から入力される操作信号に基づいて、印刷データ生成部２２に印刷データの生成を指示したり、印刷部２３に印刷動作を指示する。
また、テープ印刷装置２は、操作部２５の操作により、あらかじめテープ印刷装置２で印刷される印刷条件を設定することができる。
【００１９】
本実施形態においては、測定装置１に対して汎用のテープ印刷装置２を接続するものである。
この汎用のテープ印刷装置２には、種々の機能を備えたものが存在する。また、通常、一般ユーザー向けに市販されているヘルスケア製品などの測定装置１は、比較的単価も安く、その処理能力は高くはない。そのため、測定装置１により、接続されるテープ印刷装置２の印刷能力に応じて印刷条件を含む印刷コマンドを生成することは、測定装置１の能力では困難である。
そのため、本実施形態においては、前述のように印刷コマンドを生成するためのパラメーターを必要最小限に留め、３つのパラメーターに基づいて印刷コマンドを生成するようにしている。
この印刷コマンドは、テープ印刷装置２における印刷形態を指定する情報を含まず、パラメーターのみで構成される。
【００２０】
そして、本実施形態においては、印刷データ生成部２２は、測定装置１から送られる印刷コマンドに基づいて、パラメーターに対応した測定結果を表すグラフを含む印刷データを生成する。この印刷データを生成する際に、テープ印刷装置２の能力に応じた印刷条件を設定することができるようにしている。
印刷条件は、測定装置１から印刷コマンドとして送られるパラメーターをどのように印刷するかを設定する条件であり、テープ印刷装置２の能力によって異なる条件である。
具体的には、テープ印刷装置２の印刷能力はあまり高くないので、パラメーターを印刷するための印刷行数、文字の大きさ、グラフの態様などを印刷条件として設定しておく。これら印刷条件の設定は、例えば、テープ印刷装置２の操作部２５をユーザーが操作して行う。
そして、印刷データ生成部２２は、印刷コマンドに基づいてあらかじめ設定された印刷条件に従って印刷データを生成する。
【００２１】
また、記憶部２４は、測定装置１から送られる印刷コマンドに含まれるパラメーターを記憶する。測定装置１による測定が異なる日時に行われた場合、これら各日時の測定による印刷コマンドのパラメーターを記憶することにより、測定装置１による測定結果が経時的に記憶される。
このとき、複数の測定装置１が１つのテープ印刷装置２を共有する場合、パラメーターに含まれる測定装置１のＩＤ情報を参照することで、測定装置１ごとの測定結果を管理することが可能である。また、１つの測定装置１を複数のユーザーが共有する場合には、ユーザーごとにＩＤ情報を設定することで、ユーザーごとの測定結果を管理することが可能である。
【００２２】
このように記憶部２４に測定日時が異なる測定結果を記憶させておくことにより、テープ印刷装置２は、測定装置１により測定した時ではなく、後日、まとめて印刷したい場合や、印刷したが紛失した日時の印刷を行いたい場合に対応することが可能となる。
【００２３】
次に、本実施形態の動作について、図２に示すフローチャートを参照して説明する。
本実施形態においては、ユーザーが測定装置１を装着して（前述したように、測定装置１と測定部１１が別筐体で構成されている場合は、測定部１１を装着すればよい）、操作部１３を操作することにより、操作部１３から測定側制御部１０に操作信号が入力される。測定側制御部１０は、操作部１３から入力される操作信号に基づいて、測定部１１に測定動作を指示する。これにより、測定部１１による身体情報の測定が行われ、身体情報を取得する（ＳＴ１）。
身体情報が取得されたら、印刷コマンド生成部１２は、身体情報の測定結果、測定日時および測定装置１のＩＤ情報に基づくパラメーターを含む印刷コマンドを生成する（ＳＴ２）。
【００２４】
印刷コマンドは、測定側通信部１４および印刷側通信部２０を介して、印刷装置２に送られる（ＳＴ３）。
印刷装置２に印刷コマンドが送られると、印刷側制御部２１の指示により、印刷データ生成部２２は、測定装置１から送られる印刷コマンドに基づいて印刷データを生成する（ＳＴ４）。この場合に、印刷データ生成部２２は、印刷コマンドに基づいて、あらかじめ設定された印刷条件に従って印刷データを生成する。
印刷部２３は、生成された印刷データに基づいて駆動され、所定の記録媒体に印刷を行う（ＳＴ５）。
【００２５】
図３は、測定装置１が血圧計である場合における印刷例を示す説明図である。
図３に示す例では、記録媒体３０として接着可能なテープ状の記録媒体３０を用いた場合の例を示している。
図３に示すように、記録媒体３０には、血圧計のＩＤ、測定年月日、測定時刻、最低血圧および最高血圧が印刷される。具体的には、血圧計のＩＤ、測定年月日、測定時刻は、記録媒体３０の最初に３行にわたって印刷され、最低血圧および最高血圧は、最低血圧と最高血圧との２つの測定結果が重ねて表示された積み上げ棒グラフ３１で印刷される。
【００２６】
また、図４は測定装置１が血圧計である場合における印刷例を示す説明図である。
この場合は、記録媒体３０として、接着可能なテープ状の記録媒体３０を用いた場合を示している。
この場合は、図４に示すように、記録媒体３０には、血圧計のＩＤ、測定年月日および時刻、最低血圧および最高血圧が印刷される。具体的には、血圧計のＩＤ、測定年月日、測定時刻は、記録媒体３０の最初に３行にわたって印刷され、最低血圧および最高血圧は、最低血圧と最高血圧との２つの測定結果がそれぞれ別個の棒グラフ３１で印刷される。
なお、図３のようにグラフ３１を重ねて印刷するか、図４のように別個に印刷するかは、テープ印刷装置２であらかじめ設定された印刷条件により決定される。
【００２７】
また、図５は図３に示す記録媒体３０を所定の用紙３２に貼り付けた場合の例を示す説明図である。
このように所定の用紙３２に、測定日時ごとの測定結果に基づいて印刷した記録媒体３０を貼り付けることで、所定の期間（本実施形態においては、１週間）の測定結果を一覧にすることができ、測定結果の経時的変化を確認することができる。
なお、前述の各印刷例において、１つの測定装置１を複数のユーザーが共有している場合には、「測定器：血圧計ＡＢＣ」と印刷するのに代えて、ユーザーの氏名やユーザーコードなどに基づいて、「ユーザー：ＸＹＺ」と印刷するようにしてもよい。
【００２８】
このようにテープ印刷装置２としてラベルライターを用いる場合には、ラベルライターが電池やバッテリで駆動され、小型軽量で持ち運びにも便利であるため、例えば、寝室、洗面所、居間など、測定装置１と一緒に置いておいても邪魔にならず使い勝手がよい。
一般に、血圧等は、起床後すぐに安静な状態で毎日測定・記録し、通院時に提出を求められることが多い。したがって、血圧計は寝室に常備するのが便利であり、記録のための印刷装置も血圧計の側にあるのが便利である。
また、記録媒体３０をカートリッジで供給するラベルライターであれば、カートリッジを用意するだけで、例えば、インクジェットプリンターのように用紙などの記録媒体３０とインクの両方の残量を気にしなくて済み、管理もしやすい長所がある。
【００２９】
また、テープ印刷装置２としてラベルライターを用いた場合、測定装置１により測定した時の測定結果しか印刷することができない。しかしながら、記録媒体３０として接着可能なテープ状の記録媒体３０を用いることで、印刷後すぐにノートや専用用紙等の所定の用紙３２に張り付けて管理することにより経時的変化の把握も簡単である。
また、印刷後自動切断されたテープ状の記録媒体３０には、測定日時が印刷されているので、印刷された記録媒体３０を何日分かまとめて保存しておき、後日、所定の用紙３２に張り付けて経時変化を確認することも容易である。
【００３０】
また、前記実施形態においては、測定日時が異なる測定結果のパラメーターを記憶部２４に記憶させ、この記憶部２４から異なる測定日時のパラメーターを取得するようにしているが、これに限定されない。
例えば、インターネット上にサーバーを設置し、サーバーと通信可能な通信部を設けておく。そして、サーバーに測定日時が異なる測定結果のパラメーターを逐次記憶させておき、印刷する際に、通信部を介してサーバーから異なる測定日時のパラメーターを取得して印刷するようにしてもよい。この場合に、サーバーに対して通信部を介してパラメーターを記憶させるのは、テープ印刷装置２が行うようにしてもよいし、測定装置１が行うようにしてもよい。
【００３１】
以上説明したように、本実施形態に係るプリンターは、身体情報を測定する測定部１１と、身体情報をテープ印刷装置２に印刷させるための印刷コマンドを生成する印刷コマンド生成部１２と、印刷コマンドを印刷装置２に対し出力する測定側通信部１４（出力部）と、を備える測定装置１と、印刷コマンドを受信する印刷側通信部２０（受信部）と、受信した印刷コマンドと設定された印刷条件とに基づいて印刷データを生成する印刷データ生成部２２と、生成した印刷データを印刷する印刷部２３と、を備える印刷装置２と、を備えている。
これによれば、測定装置１から送られる印刷コマンドに基づいてテープ印刷装置２がテープ状の記録媒体３０に印刷することで、大きな用紙に印刷する場合に比較して用紙の無駄がなく、記録媒体３０の管理も容易である。
また、テープ印刷装置２は、測定装置1の測定結果の印刷以外に使用することも多いが、持ち運びが容易なので必要な場所で印刷でき、使い勝手が良い。さらに、テープ印刷装置２により印刷された記録媒体３０は、剥離紙をはがせば接着が可能であるため、例えば、病院の通院時における提出用紙などの所定の用紙３２に容易に貼り付けることができる。
【００３２】
また、本実施形態では、印刷コマンドは、測定装置１が測定した測定結果に対応したパラメーターを有し、印刷データ生成部２２は、測定結果に対応したパラメーターに基づいて、パラメーターに対応した測定結果を表すグラフ３１を含む印刷データを生成し、印刷部２３は、グラフ３１を印刷する。
これによれば、印刷後の記録媒体３０には、測定結果をあらわすグラフ３１が印刷されているので、所定の用紙３２に張り付けることにより、測定結果の変化を確認しやすい。
【００３３】
また、本実施形態では、印刷コマンドは、測定装置１が測定した測定日時に対応したパラメーターを更に有し、印刷データ生成部２２は、測定日時に対応したパラメーターに基づいて、測定日時を含む印刷データを生成し、印刷部２３は、測定日時をグラフ３１と共に印刷する。
これによれば、印刷後の記録媒体３０には、測定結果とともに測定日時が印刷されているので、後日、まとめて所定の用紙３２に貼り付けることができ、異なる測定日時の測定結果の管理を容易に行うことができる。
【００３４】
また、本実施形態では、印刷コマンドは、複数の測定結果に応じたパラメーターを有し、グラフ３１は、複数の測定結果に対応するグラフ３１である。
これによれば、印刷後の記録媒体３０には、複数の測定結果をあらわすグラフ３１が印刷されているので、所定の用紙３２に張り付けることにより、複数の測定結果の変化を確認しやすい。
【００３５】
また、本実施形態では、複数の測定結果に対応するグラフ３１は、積み上げ棒グラフ３１である。
これによれば、印刷後の記録媒体３０には、複数の測定結果をあらわす積み上げ棒グラフ３１が印刷されているので、所定の用紙３２に張り付けることにより、複数の測定結果の変化を確認しやすい。
【００３６】
なお、前述した実施の形態は、あくまでも本発明の一態様を示すものであり、本発明の範囲内で任意に変形及び応用が可能である。
【符号の説明】
【００３７】
１…測定装置、２…テープ印刷装置、１０…測定側制御部、１１…測定部、１２…印刷コマンド生成部、１３…操作部、１４…測定側通信部、２０…印刷側通信部、２１…印刷側制御部、２２…印刷データ生成部、２３…印刷部、２４…記憶部、２５…操作部。
【図１】
2017083930.tif 000003
【図２】
2017083930.tif 000004
【図３】
2017083930.tif 000005
【図４】
2017083930.tif 000006
【図５】
2017083930.tif 000007